(57)【要約】      （修正有）【課題】消費者の購買意欲を十分に満たすことができる、イヤホンジャックアクセサリーを提供する。【解決手段】イヤホンジャックに脱着自在に嵌入される嵌入部と、末端が嵌入部に連結されて延びており、折り曲げ自在に形成された、棒体２０と、嵌入部に連結された装飾部３０と、を備えている。嵌入体１２は、先端が丸い円柱部１２ａと、この円柱部１２ａの本体１１側から等間隔に３個形成されている環状の凸部１２ｂとからなっている。凸部１２ｂは、イヤホンジャックの直径と略同一の外径を有している。よって、イヤホンジャックアクセサリー１は、嵌入体１２を介して、携帯端末と連結される。棒体２０の先端に、導電性を有するタッチペン構成部２２を有している。【選択図】図２
0003187888.tif 000002
【実用新案登録請求の範囲】
【請求項１】
イヤホンジャックに脱着自在に嵌入される嵌入部と、
末端が前記嵌入部に連結されて延びており、折り曲げ自在に形成された、棒体と、
前記嵌入部に連結された装飾部と、を備え、
前記棒体の先端に、導電性を有するペン先を有していることを特徴とする、イヤホンジャックアクセサリー。
【請求項２】
請求項１に記載のイヤホンジャックアクセサリーにおいて、
前記装飾部が、前記嵌入部に対して脱着自在に連結されていることを特徴とする、イヤホンジャックアクセサリー。
【請求項３】
請求項１または２に記載のイヤホンジャックアクセサリーにおいて、
前記嵌入部と前記棒体とが一体に形成されていることを特徴とする、イヤホンジャックアクセサリー。
【考案の詳細な説明】
【技術分野】
【０００１】
本考案は、主としてスマートフォン等の携帯端末のイヤホンジャックに取り付けられる、イヤホンジャックアクセサリーに関する。
【背景技術】
【０００２】
従来のイヤホンジャックアクセサリーは、例えば、特許文献１等に示されている。
【先行技術文献】
【特許文献】
【０００３】
【特許文献１】特開２０１３−８５０１２号公報
【考案の概要】
【考案が解決しようとする課題】
【０００４】
従来のイヤホンジャックアクセサリーは、スマートフォン等の携帯端末のイヤホンジャックに嵌入されるアクセサリーとして使用されるだけであり、アクセサリー以外の機能あるいは用途等を有してはいない。そのため、従来のイヤホンジャックアクセサリーでは、ユニークなデザインまたは機能を求める現代の消費者の購買意欲を十分に満たすことができなくなっている。
【０００５】
本考案の目的は、アクセサリーとしての機能だけでなく、他の付加的機能も備えることにより、消費者の購買意欲を十分に満たすことができる、イヤホンジャックアクセサリーを提供することにある。
【課題を解決するための手段】
【０００６】
本考案のイヤホンジャックアクセサリーは、携帯端末のイヤホンジャックに脱着自在に嵌入される嵌入部と、末端が前記嵌入部に連結されて延びており、折り曲げ自在に形成された、棒体と、前記嵌入部に連結された装飾部と、を備え、前記棒体の先端に、導電性を有するペン先を有していることを特徴としている。
【０００７】
また、本考案のイヤホンジャックアクセサリーは、次の構成（Ａ）または（Ｂ）を任意に採用するのが好ましい。
【０００８】
（Ａ）前記装飾部が、前記嵌入部に対して脱着自在に連結されている。
【０００９】
（Ｂ）前記嵌入部と前記棒体とが一体に形成されている。
【考案の効果】
【００１０】
本考案のイヤホンジャックアクセサリーによれば、棒体をスタンドとなるように折り曲げることにより、携帯端末スタンドとして使用できる。また、棒体をユーザにとって把持し易い形態に折り曲げることで、ユーザが携帯端末を把持し易くなり、携帯端末の落下を防止できる。
【００１１】
さらに、棒体の先端に、導電性を有するペン先を有しているので、棒体をタッチペンとして使用できる。
【００１２】
さらに、携帯端末のイヤホンジャック内に嵌入部が嵌合されるので、イヤホンジャックが封止される。これにより、イヤホンジャックへのゴミ等の異物の侵入を防げる。
【００１３】
上記構成（Ａ）によれば、イヤホンジャックアクセサリーのデザインを簡単に変更できる。
【００１４】
上記構成（Ｂ）によれば、部品点数を削減して、製造コストを低減できる。
【図面の簡単な説明】
【００１５】
【図１】本考案の第１実施形態のイヤホンジャックアクセサリーを示す外観図であり（ａ）は側面図、（ｂ）は正面図、（ｃ）は背面図を示す。
【図２】図１（ｂ）のＩＩ−ＩＩ線から見た縦断面図である。
【図３】図２の分解図である。
【図４】図１のイヤホンジャックアクセサリーをスマートフォンに取り付けた状態を示す外観図であり、（ａ）は側面図、（ｂ）は正面図、（ｃ）は背面図を示す。
【図５】図１のイヤホンジャックアクセサリーの棒体をスタンドとなるように折り曲げて使用している状態を示す外観図である。
【図６】図１のイヤホンジャックアクセサリーの棒体をユーザにとって把持し易い形態に折り曲げて使用している状態を示す外観図であり、（ａ）はユーザが把持していない状態の外観図、（ｂ）はユーザが把持している状態の外観図である。
【図７】本考案の第２実施形態のイヤホンジャックアクセサリーを示す外観図であり、（ａ）は側面図、（ｂ）は正面図を示す。
【図８】図７（ｂ）に示すＶＩＩＩ−ＶＩＩＩ線から見た縦断面図である。
【考案を実施するための形態】
【００１６】
以下、本考案のイヤホンジャックアクセサリーを図示の実施形態により詳細に説明する。
【００１７】
（第１実施形態）
第１実施形態のイヤホンジャックアクセサリー１は、図１〜図３に示すように、嵌入部１０と棒体２０と装飾部３０とを備えている。棒体２０および装飾部３０は、それぞれ、嵌入部１０に連結され、対向するように配置されている。
【００１８】
嵌入部１０は、非フタル酸エステル系ポリ塩化ビニル（ＡＴＢＣＰＶＣ）で形成されており、図２，図３に示すように、本体１１と嵌入体１２とからなっている。
【００１９】
本体１１は、棒体２０を連結するための連結凹部１３と、装飾部３０を連結するための連結凹部１４とを有しており、連結凹部１３，１４は、互いに対向するよう配置されている。本体１１の長さ方向Ｌ（図２，図３に示す）の大きさは、取り付ける対象となる携帯端末の厚さよりも若干大きく形成されている。
【００２０】
嵌入体１２は、先端が丸い円柱部１２ａと、この円柱部１２ａの本体１１側から等間隔に３個形成されている環状の凸部１２ｂとからなっている。凸部１２ｂは、イヤホンジャックの直径と略同一の外径を有している。よって、イヤホンジャックアクセサリー１は、図４に示すように、嵌入体１２を介して、携帯端末１００と連結される。
【００２１】
棒体２０は、略円柱形状を有しており、本体２１と、本体２１の先端に設けられたタッチペン構成部２２と、からなっている。
【００２２】
本体２１は、ＡＴＢＣＰＶＣで形成されており、芯２４を内部に有している。芯２４は、鉄で形成されており、折り曲げ自在である。本体２１の末端には、嵌入部１０の連結凹部１３に連結するための連結突起２３が形成されている。連結突起２３は、本体２１の延在方向に対して直交する方向に突出するよう配置されている。嵌入部１０の連結凹部１３と棒体２０の連結突起２３とは、接着剤（図示せず）を用いて接合されている。また、本体２１の先端は、タッチペン構成部２２を取り付けるために外径が小さくなっており、外径が変わる境目部分に環状凹部２５が形成されている。
【００２３】
タッチペン構成部２２は、先端が丸く閉じた略円筒形状を有しており、導電性シリコンゴムで形成されている。タッチペン構成部２２の先端が、ペン先を構成する。タッチペン構成部２２の末端は開口しており、この開口の内縁部には、環状突起２６が内方に突設されている。環状突起２６は、本体２１の環状凹部２５に嵌合可能に形成されており、環状突起２６と環状凹部２５とを嵌合させることで、タッチペン構成部２２を本体２１に固定できる。なお、タッチペン構成部２２を本体２１に取り付けたとき、ペン先は、内部に空洞を有している。
【００２４】
装飾部３０は、ＡＴＢＣＰＶＣで形成されている本体３１からなっている。本体３１には、嵌入部１０の連結凹部１４に連結するための連結突起３２が形成されている。嵌入部１０の連結凹部１４と装飾部３０の連結突起３２とは、接着剤（図示せず）を用いて接合されている。
【００２５】
前記イヤホンジャックアクセサリー１においては、装飾部３０が猫の頭部、嵌入部１０が猫の胴体部、そして、棒体２０が猫の尻尾の形態を有しており、全体として猫のデザインが施されている。
【００２６】
（効果）
上記構成のイヤホンジャックアクセサリーは、次のような効果が発揮できる。
【００２７】
（１）棒体２０をスタンドとなるように折り曲げることにより、図５に示すように、携帯端末スタンドとして使用できる。
【００２８】
（２）棒体２０の先端に導電性シリコンゴムのタッチペン構成部２２を有しているので、棒体２０をタッチペンとして使用できる。
【００２９】
（３）棒体２０をユーザにとって把持し易い形態に折り曲げることで、図６に示すように、ユーザが携帯端末を把持し易くなり、携帯端末の落下を防止できる。
【００３０】
（４）イヤホンジャック内に嵌入部１０の嵌入体１２が嵌合されるので、イヤホンジャックが封止される。これにより、イヤホンジャックへのゴミ等の異物の侵入を防げる。
【００３１】
（変形構成）
（ａ）嵌入部１０、棒体２０の本体２１、および装飾部３０は、ＡＴＢＣＰＶＣに限るものではなく、他の樹脂で構成してもよい。
【００３２】
（ｂ）棒体２０の芯２４は、鉄に限らず、折り曲げ自在な他の金属で構成してもよい。
【００３３】
（ｃ）棒体２０のタッチペン構成部２２は、導電性シリコンゴムに限らず、他の導電性材料で構成してもよい。
【００３４】
（ｄ）装飾部３０，嵌入部１０および棒体２０の、形状，色彩等の形態は、需用者のニーズに応じて自由に作り変えることができる。
【００３５】
（ｅ）嵌入部１０の本体１１の長さ方向の大きさは、携帯端末の厚さと略同一にして、携帯端末の厚さに応じて変更するようにしてもよい。
【００３６】
（ｆ）タッチペン構成部２２は、先端の内部に空洞を有していなくてもよい。
【００３７】
（第２実施形態）
第１実施形態のイヤホンジャックアクセサリー１は、嵌入部１０と棒体２０とが別部材となっているが、第２実施形態のイヤホンジャックアクセサリー５１は、図７，図８に示すように、嵌入部６０と棒体７０とが一体に形成されている。
【００３８】
嵌入部６０の棒体７０に対向する部分には、連結用爪部６１が形成されている。第２実施形態のイヤホンジャックアクセサリー５１では、装飾部（図示せず）は連結用爪部６１に着脱自在に連結されている。また、棒体７０の本体７１の外周には、長手方向等間隔に複数の溝が形成されている。
【００３９】
なお、第２実施形態のイヤホンジャックアクセサリー５１では、棒体７０に複数の溝が形成されているが、この溝以外に、嵌入部６０および棒体７０には、特定のデザインが施されていない。つまり、装飾部のデザインに応じて嵌入部６０および棒体７０の外観の形態を変更する必要がなく、イヤホンジャックアクセサリー５１のデザインを、装飾部のデザインを変更するだけで簡単にできる。
【００４０】
その他の構成は、第１実施形態と同じであり、または、第１実施形態の構成を類推適用できる。
【００４１】
（効果）
第２実施形態のイヤホンジャックアクセサリー５１は、第１実施形態（１）〜（４）の効果に加えて、以下の効果を発揮できる。
【００４２】
（一）嵌入部６０と棒体７０とが一体に形成されているので、部品点数を減らして製造コストを低減できる。
【００４３】
（二）嵌入部６０および棒体７０の外観が固定されているので、装飾部のデザインに応じて嵌入部６０および棒体７０の外観を変更する必要がない。このため、イヤホンジャックアクセサリー５１のデザインを、装飾部のデザインを変更するだけで簡単にできる。
【００４４】
（変形構成）
（ｉ）棒体７０の複数の溝は形成されていなくてもよい。
【００４５】
（ii）装飾部を有していなくてもよい。
【符号の説明】
【００４６】
１，５１  イヤホンジャックアクセサリー
１０，６０  嵌入部
１１  本体
１２  嵌入体
１２ａ  円柱部
１２ｂ  嵌合部
１３，１４  連結凹部
２０，７０  棒体
２１，７１  本体
２２  ペン先
２３  連結突部
２４  芯
２５  環状凹部
２６  環状突起
３０  装飾部
３１  本体
３２  連結突起
６１  連結爪部
【図１】
0003187888.tif 000003
【図２】
0003187888.tif 000004
【図３】
0003187888.tif 000005
【図４】
0003187888.tif 000006
【図５】
0003187888.tif 000007
【図６】
0003187888.tif 000008
【図７】
0003187888.tif 000009
【図８】
0003187888.tif 000010